(57)【特許請求の範囲】
【請求項１】
カバンであって、
カバン本体（２）であって、袋を形成し開口部（８）を画定する壁（７）を有するカバン本体（２）と、
ベルト（４）であって、偶発的に外れることがないように壁（７）に形成されたベルト通し（２１）の中に軽く摩擦する状態で取付けられているベルト（４）と、
変形可能な部品として形成されたフラップ（３）であって、壁（７）と協働して開口部（８）を覆い、ベルト（４）により、縫着せずに、取り外し可能に壁（７）に取り付けられるフラップ（３）と、
ベルト（４）と共働してカバンを施錠するロックシステム（６）と、
を具備し、
フラップ（３）は、カバン本体（２）の少なくとも１つの壁（７）にフラップ（３）を維持するためのベルト（４）を通すことのできる第１の対のベルト通路（２８、２８）を含み、該第１の対のベルト通路（２８，２８）は相互から所定間隔をおいて位置し、かつ、カバン本体（２）上にフラップ（３）が取り付けられたときにカバン本体（２）の壁（７）に対峙してベルト（４）による壁（７）とフラップ（３）の一体化を可能にする形態でフラップ（３）上に形成されている、
ことを特徴とするカバン。
【請求項２】
さらに、カバン本体（２）に取り付けられる少なくとも１つのストラップ（５）を含み、
フラップ（３）は、前記少なくとも１つのストラップ（５）を挿入するための少なくとも１つのカット部（２５）を含み、カット部（２５）はフラップ（３）の前長手縁部（２３）と後長手縁部（２２）の間の中央部に形成されている、
ことを特徴とする請求項１に記載のカバン。
【請求項３】
フラップ（３）にカット部（２５）が、少なくとも２つ、又は、少なくとも一対、形成されている、ことを特徴とする請求項２に記載のカバン。
【請求項４】
カット部（２５）は、フラップ（３）の両側縁部（２４）付近に形成されている、ことを特徴とする請求項２〜３のいずれか１項に記載のカバン。
【請求項５】
カット部（２５）は、フラップ（３）の両側縁部（２４）間の中央部付近に形成されている、ことを特徴とする請求項２〜４のいずれか一項に記載のカバン。
【請求項６】
フラップ（３）が中央長軸（Ａ）を中心に湾曲した状態で予備成形されている、ことを特徴とする請求項１〜５のいずれか一項に記載のカバン。
【請求項７】
前記ベルト（４）は第１機能として壁（７）上へのフラップ（３）の取外し可能な維持を確保し、かつ、前記ベルト（４）は第２機能としてカバン（１）の壁（７）を内側へ折畳むことにより開口部（８）の閉鎖を確保し、前記壁（７）は前記ベルトの横断により展開し又は折畳まれるひだ又はまち（４６）を形成するものであり、
前記ベルト（４）はカバン（１）の開口部（８）の周囲で壁（７）のまわりに設置されている、
ことを特徴とする請求項１〜６のいずれか一項に記載のカバン。
【請求項８】
ベルト（４）は第３機能としてロックシステム（６）との共働によりカバン（１）を施錠し、ベルト（４）はロックシステム（６）と共働可能な２つの自由端部（４７）をもつ開放した断片である、ことを特徴とする請求項７に記載のカバン。
【請求項９】
壁（７）が開口部（８）に隣接した後長手縁部（１４）を有し、後長手縁部（１４）には剛性ロッド（３４）が挿入されるリム（１５）が形成されている、ことを特徴とする請求項１から８のいずれか一項に記載のカバン。
【請求項１０】
剛性ロッド（３４）は、ネジ留めにより取外し可能な少なくとも１つの突出したヘッド（３７）を用いて、取外し可能に取り付けられている、ことを特徴とする請求項９に記載のカバン。
【請求項１１】
少なくとも１つのストラップ（５）を含んでいて、
該少なくとも１つのストラップ（５）は両端部（２９）に端部穴（３０）を有し、
前記ストラップ（５）は前記フラップ（３）のカット部（２５）へ挿入され、前記ストラップの両端部（２９）はリム（１５）に形成された２つの切込み（１６）内に収納され、
前記剛性ロッド（３４）は、縫着することなく取外し可能にカバン本体（２）の壁（７）にストラップ（５）を取り付けるために、ストラップ（５）の端部穴（３０）と共働する、
ことを特徴とする請求項９〜１０のいずれか一項に記載のカバン。
【請求項１２】
リム（１５）の一対の切込み（１６）及びフラップ（３）の一対のカット部（２５）へ共に取り付けられる２つのストラップ（５，３１）を有する、ことを特徴とする請求項１１に記載のカバン。
【請求項１３】
一方のストラップ（３１）はカバン（１）を手提げバッグとして持つための短かいものであり、もう一方のストラップ（５）はカバン（１）をショルダーバッグとして持つための長いものである、ことを特徴とする請求項１１に記載のカバン。
【請求項１４】
短かいストラップ（３１）は２つの肉面が向き合った２つの皮革片（３２，３３）の重合によって形成されている、ことを特徴とする請求項１１又は１２に記載のカバン。
【請求項１５】
ロックシステム（６）は
−  台板（３８）；
−  台板から突出したジャーナル（３９）；
−  台板（３８）に隣接してジャーナル（３９）内に形成された第１貫通穴（４０）；
−  ジャーナル（３９）と反対側で台板（３８）から突出した突出部（４４）から成る部品として形成されている、
ことを特徴とする請求項１〜１４のいずれか一項に記載のカバン。
【請求項１６】
前記台板（３８）は、フラップ（３）の内面とこれを維持するベルト（４）との間に挿入されかつ不動化されており、前記ベルトはロックシステム（６）の第１貫通穴（４０）を横断し、ジャーナル（３９）はフラップ（３）に被覆されるカバン（１）本体の壁（７）内に形成された第１壁穴（１８）を横断し、かつ、
フラップ（３）にはロックシステム（６）用の第１フラップ穴（２６）が形成されていて、突出部（４４）は第１フラップ穴（２６）を横断する、構成である、
ことを特徴とする請求項１５に記載のカバン。
【請求項１７】
ロックシステム（６）用の第１フラップ穴（２６）はフラップ（３）の後長手縁部（２２）の近傍に形成されている、ことを特徴とする請求項１６に記載のカバン。
【請求項１８】
ロックシステム（６）用の第１フラップ穴（２６）は、フラップ（３）の側縁部（２４）間の中央部に位置する、ことを特徴とする請求項１６に記載のカバン。
【請求項１９】
ロックシステム（６）用の第２フラップ穴（２７）をフラップ（３）の前長手縁部（２３）の近傍に形成されている、ことを特徴とする請求項１７又は１８に記載のカバン。
【請求項２０】
ロックシステム（６）用の第１フラップ穴及び第２フラップ穴（２６，２７）は、フラップ（３）が中央長軸（Ａ）を中心にして内側へ折畳まれたときに、相互に対して対峙する配置である、ことを特徴とする請求項１９に記載のカバン。
【請求項２１】
さらに、第２の対のベルト通路（２８ａ，２８ａ）を具備し、
ロックシステム（６）用の第１フラップ穴（２６）はカバン本体の壁（７）とフラップ（３）とを一体化するベルト（４）のための前記第２の対のベルト通路（２８ａ，２８ａ）の間に形成され、
ロックシステム（６）用の第１フラップ穴（２６）、および第１、第２の対のベルト通路（２８，２８，２８ａ，２８ａ）は、フラップ（３）の後長手縁部（２２）とほぼ平行の同一直線上に配置されている、
ことを特徴とする請求項１６〜２０のいずれか一項に記載のカバン。
【請求項２２】
フラップ（３）の少なくとも１つのベルト通路（２８，２８，２８ａ，２８ａ）、第１フラップ穴（２６）、または、さらに、カット部（２５）は各々フラップ（３）の側縁部（２４）の方向に細長い、ことを特徴とする請求項１〜２１のいずれか一項に記載のカバン。
【請求項２３】
ロック手段（４５）が前記ロックシステム（６）の突出部（４４）に連結されることを特徴とする請求項１６〜２２のいずれか一項に記載のカバン。
【請求項２４】
第１壁穴（１８）と反対側でカバン本体（２）の壁（７）内に形成された第２壁穴（１９）を含み、ロックシステム（６）のジャーナル（３９）はカバン（１）を閉じたときに第２壁穴（１９）を横断し、ベルト（４）の自由端部（４７）はカバン（１）の外側に突出したロックシステム（６）の第２貫通穴（４１）へ挿入され、ベルト（４）の自由端部（４７）はフラップ（３）によってロックシステム（６）内に維持される構成である、
ことを特徴とする請求項１６〜２３のいずれか一項に記載のカバン。
【請求項２５】
第１壁穴（１８）はベルト通し（２１，２１）と共に後長手縁部（１４）にほぼ平行な同一直線方向上に設けられており、第２壁穴（１９）はベルト通し（２１，２１）と共に前長手縁部にほぼ平行な同一直線方向上に設けられている、ことを特徴とする請求項２４記載のカバン。
【請求項２６】
カバン（１）の本体（２）を形成する壁（７）、フラップ（３）及びベルト（４）から請求項１〜２５のいずれか一項に記載のカバン（１）を組立てる方法であって；
−  カバン（１）の本体（２）との関係においてフラップ（３）を位置決めし；
−  壁（７）のベルト通し（２１）及びフラップ（３）の通路の中へベルト（４）を通し；
−  ベルト（４）を緊張させる；
ことから成り、それにより縫着することなく取外し可能にカバンを組立てる方法。
【請求項２７】
第１にフラップ（３）の上にロックシステム（６）を取付け、このロックシステムをカバン本体の壁（７）内に形成された第１壁穴（１８）と共働させる、ことを特徴とする請求項２６に記載の組立て方法。
【請求項２８】
カバンがカバン本体（２）に取り付けられる少なくとも１つのストラップ（５）を含み、フラップ（３）に前記少なくとも１つのストラップ（５）を挿入するための少なくとも１つのカット部（２５）が形成されている場合において、
壁（７）の後長手縁部（１４）に開口部（８）に隣接して切込み（１６）を有するリム（１５）を形成し、
フラップ（３）のカット部（２５）及びリム（１５）の切込み（１６）の中へ両端に端部穴（３０）が形成されたストラップ（５）を設置し、
別個に用意された剛性ロッド（３４）を前記リム（１５）の中へ挿入してストラップ（５）の両端に形成された端部穴（３０）を通し、
ストラップ（５）をカバン（１）の本体（２）上に固定する、
ことを特徴とする請求項２６又は２７に記載の組立て方法。
【発明の詳細な説明】
【０００１】
【発明の属する技術分野】
本発明はカバンに関する。
本発明は、より具体的には、縫着することなく取外し可能な形でカバンの壁上に取りつけられるカバン用のフラップ、及びこのフラップを含むカバンを目的としている。
【０００２】
同様に、本発明は、カバンの組立て方法にも関する。
【従来の技術】
ＵＳ−Ａ−２７８４７５６号は、取外し可能なカバーシートを有するハンドバッグに関する。該シート又はフラップは、留め金及びシートを横断するストラップを用いてカバン上に維持される。ストラップと留め金はカバン上に縫いつけられている。
【０００３】
かかるフラップは、留め金とストラップにより単にカバンの上に設置され維持されているだけである。その上、留め金とストラップは、カバン上に縫製又は溶接によって一体化されている。その結果、カバンの製作は最終的にかなり複雑で、ひいては費用のかかるものである。
その上、カバンの開口部は予め定められ固定されている。これは、中味に応じてカバンの容積を適合させることを可能にするものではない。
【０００４】
【発明が解決しようとする課題】
従って、本発明はこれらの欠点を補正することを目的としている。
本発明は、このために、フラップをカバン本体の壁上に縫着することなく取外し可能な形で取り付け、しかもその開口部が中味に応じて調整できるカバンを提案している。
【０００５】
【課題を解決するための手段】
本発明は第１に、変形可能な部品として形成され、かつカバンの本体に一体化されるカバン用フラップを提供する。このフラップは、カバンの本体の少なくとも１つの壁にフラップを維持するためにベルトが通過できる少なくとも２つのベルト通路を含み、該ベルト通路は、相互に充分な距離を置いて形成され、カバンの本体上にフラップが取りつけられたときに該ベルト通路がカバン本体の壁に対峙してベルトによるカバン本体の壁とフラップとの一体化を可能にする形態でフラップ上に配置されている。
【０００６】
このフラップは、その後長手縁部に沿って、その側縁部付近に２つのベルト通路を有していてよい。
一変形実施形態において、このフラップは、少なくとも２対のベルト通路を有する。
他の特徴によれば、このフラップは、その側縁部間において中央部分付近に２つのベルト通路を有する。
【０００７】
更に、このフラップは、好適には、その後長手縁部に沿って、ロックシステム用の少なくとも１つの第１フラップ穴を有する。
第１フラップ穴は、その側縁部間の中央部分に形成されている。
更に、このフラップは、好適には、その前長手縁部に沿ってロックシステムのための第２フラップ穴を有する。
【０００８】
第１及び第２フラップ穴は、フラップが中央長軸を中心にして内側へ折畳まれたときに、相互にほぼ対峙する配置で形成されている。
第１フラップ穴はフラップとカバン本体とを一体化するベルトのための上記２つのベルト通路の中間に形成されている。
前記ベルト通路と第１フラップ穴は、全体的に同じ形状をもつ。
【０００９】
前記ベルト通路と第１フラップ穴は、フラップの後長手縁部にほぼ平行の同一直線上に配置されている。
このフラップは、更に、少なくとも１つのストラップの通過のための少なくとも１つのカット部を有してよい。
他の実施形態によれば、フラップは少なくとも２つのカット部又は少なくとも一対のカット部を有する。
【００１０】
カット部は、前後の長手縁部間で中央部分に位置決めされている。
１変形形態によると、カット部は、フラップの側縁部付近に位置決めされている。
もう１つの変形形態によると、カット部はフラップの側縁部間でその中央部分付近に位置決めされている。
【００１１】
本発明は第２に、開口部を限定する袋を形成する壁及び開口部を被覆することができる形態で前記壁に結合された上述のフラップを含むカバンを提供する。このカバンは、前記フラップが、遇発的に外れることがないようにカバン本体の壁のベルト通しに軽く摩擦する形態で取付けられるベルトを用いてカバン本体の壁上に縫着することなく取外し可能な形態により取付けられている。
【００１２】
他の特徴によれば、前記ベルトは、その機能として第１にカバン本体の壁上へのフラップの取外し可能な維持を確保し、第２にカバン本体の壁の内側への折畳みによる開口部の閉鎖を確保する。このカバン本体の壁は、ベルトの横断により展開又は折畳まれるひだ又はまちを形成するように構成されている。
前記ベルトは、同様に、その機能として第３に、ロックシステムとの共働によりカバンの施錠を確保する。
【００１３】
カバンの壁は、カバンの開口部に隣接した後長手縁部に沿って形成された、剛性ロッドと共働するリムを有する。
カバンは、フラップの前記カット部を横断する少なくとも１つのストラップを更に有し、前記ストラップの両端部には端部穴が形成され前記両端部は前記リムに形成された２つの切込みの中に収納され、前記剛性ロッドは、ストラップを、縫着することなく取外し可能な形態でカバンの本体の壁上に取りつけるために、ストラップの穴と共働する。
【００１４】
一変形形態によると、カバンは、リムの一対の切込み及びフラップの一対のカット部内に共に取り付けられた２つのストラップを有する。
本発明によるカバンは、好適には、ロックシステムを含む。このロックシステムは、台板、前記台板から突出したジャーナル、前記台板に隣接するジャーナルに形成された第１貫通穴、前記ジャーナルと反対側で台板から突出する突出部を含む部品として形成されている。
【００１５】
前記台板はフラップの内面とこれを維持するベルトとの間に位置決めされ、挿入されかつ不動化されており、前記ベルトは、閉鎖システムの第１貫通穴を横断する。
前記ジャーナルは、フラップが上設されるカバン本体の壁内に形成された第１壁穴を横断し、前記突出部はフラップの第１フラップ穴を横断する構成である。
【００１６】
ロック手段が前記ロックシステムの突出部に連結される。
本発明によるカバンは、好適には、第１壁穴と反対側でカバン本体の壁内に形成された第２壁穴を有する。
前記ロックシステムのジャーナルは、カバンが閉じられた場合に第２壁穴を横断する。
【００１７】
前記ベルトの自由端部は、そのようにしてカバンの外側に突出するロックシステムの第２貫通穴内に挿入され、これらの端部は、フラップによりこのロックシステムに維持される。
本発明によるカバンの第１及び第２壁穴が同一方向に延在し、この方向は、後長手縁部にほぼ平行である。
【００１８】
本発明は第３に、カバンの本体を形成する壁、フラップ及びベルトから、上述のカバンを組立てる方法を提供する。この方法において、
−  カバンの本体との関係でフラップを位置決めし、
−  カバン本体の壁の壁穴及びフラップのフラップ穴の中にベルトを通し、
−  ベルトを緊張させる、
ことから成り、それにより縫着することなく取外し可能にカバンを組立てる。
【００１９】
この方法において、第１にフラップの上にロックシステムを取付け、このロックシステムを壁の第１壁穴と共働させる。
次にフラップのカット部及びリムの切込みの中へストラップを挿入し、前記剛性ロッドを前記リムの中へ通し、このロッドをカバンの本体上に固定する。
本発明は、添付図面を参照して以下の記述を読むことによって充分に理解されるであろう。
【００２０】
【発明の実施の形態】
図に示されている実施形態によれば、カバン１は、次の構成要素を含む：
−  カバン１の本体２；
−  取外し可能なフラップ３；
−  カバンの本体２とフラップ３を一体化する少なくとも１本のベルト４；
−  少なくとも１つのストラップ５；
−  カバン１の少なくとも１つのロックシステム６。
【００２１】
カバン１の本体２は、中空のほぼ直方体である平行６面体の全体形状を有する。本体は、開口部８を限定する壁７で形成されている。
この壁７は、それぞれ９及び１０で表わされた長手を有する前後２つの壁、及びそれぞれ向かい合い２つずつほぼ平行になった２つの側壁１１を含んで成る。
この壁７は、さらに、カバン１の開口部８とは反対側にある、カバン１の前後壁および側壁を載せる構成の底壁１２を含んで成る。
【００２２】
図によって示されている実施形態においては、壁７は一続きになっている。
一変形実施形態によれば、壁７は、例えば縫製又はそれに類するものによって複数の部品を組立ることによって実現される。
前後の長手壁１０及び９及び側壁１１は、平らにした状態でほぼ台形の形状をもつ。
【００２３】
かくして各々の台形の短辺１３は、カバン１の開口部８を画定する。
長手後壁９は開口部８に隣接するその後長手縁部に、中空部を形成する１つのリム１５を含んで成る。このリム１５は、後長手縁部１４にほぼ平行に長手方向に延びている。このリムは、壁１２の反対側でカバン１の開口部８から突出した状態で配置されている。
【００２４】
リム１５は、壁９を内側に折畳むことによって形成され、縫製又はそれに類する方法により後長手縁部１４に組立てられる。
このリム１５は、特に、カバンの本体２上にストラップを維持できるようにするためのものである。
リム１５の中には２つの切込み１６が形成されている。これらの切込みは、リム１５の中央領域に配置される。これらの切込み１６は、ストラップ５の通過及びカバンの本体２上への位置決めを可能にすることを目的としている。
【００２５】
壁７は、ロックシステム６と共働することを目的とする第１壁穴１８、および第２壁穴１９を含む。
第１壁穴１８は、長手後壁において後長手縁部１４の側で中央領域に設けられている。
第２壁穴１９は、長手前壁１０の中央領域内において、前長手縁部の側に設けられている。
【００２６】
２つの第１、第２壁穴１８、１９は、ほぼ互いに向かい合って配置されている。
壁７は、更に、一体化用ベルト４の通過を可能にするためのベルト通し２１，２１ａを含んでいる。
図９，１０及び１１に示されている実施形態に従うと、本体２は、各々の長手壁９及び１０の上に２つのベルト通し２１を含む。これらのベルト通し２１，２１は、側壁上縁部１７近くで、第１、第２壁穴１８及び１９からほぼ等間隔のところに各々配置されている。
【００２７】
これらのベルト通し２１，２１及び第１、第２壁穴１８ならびに１９は、長手縁部２０又は１４にほぼ平行な方向Ｂに沿って相互に連続的に一直線になるように配置されている。
各々の側壁１１には４つのベルト通し２１ａが設けられている。ベルト通し２１ａは、側壁上縁部１７の付近に配置されている。これらのベルト通しは、側壁上縁部１７にほぼ平行な方向Ｃに沿って相互に連続的に整列するように形成される。
【００２８】
カバン本体２の開口部８は、カバンが閉じられた時点で、カバン本体２に縫いつけられていない取外し可能なフラップ３によって被覆される。
このフラップ３は、平らにした状態で、ほぼ矩形の全体的形状を有する。フラップ３は、前後２つの長手縁部２３，２２と２つの側縁部２４を有する。これらの縁部は、向かい合って２つずつほぼ平行に配置されている。
【００２９】
フラップ３は、その側縁部２４の間に、ストラップ５の通過を可能にするための少なくとも１つのカット部２５を含む。
図４に例示されている実施形態において、フラップ３は２つのカット部２５を含んでいる。
後長手縁部２２に隣接する中央領域において、フラップ３内に第１フラップ穴２６が形成されている。
【００３０】
この第１フラップ穴２６に向かい合って、フラップ３の前長手縁部に隣接する中央領域には、第２フラップ穴２７が形成されている。
これらの第１及び第２フラップ穴２６及び２７は、ロックシステム６と共働するようになっている。
第１フラップ穴２６と心合せした状態で、後長手縁部２２に沿ってベルト通路２８，２８ａが設けられている。
【００３１】
図４では、これらのベルト通路の数は４つである。２つのベルト通路２８ａは、中央領域において、両側から等距離であって第１フラップ穴２６の近くに配置されており、他方、他の２つのベルト通路２８は、第１フラップ穴２６から等距離のところで、側縁部２４の近くに形成されている。
これらのベルト通路２８及び２８ａは、フラップ３の中を一体化用ベルト４が通過できるようにするためのものである。
【００３２】
カット部２５，第１、第２フラップ穴２６，２７及びベルト通路２８，２８ａは各々、細長い又は長方形もしくは長円形の全体的形状をもつ。
図４に例示されている実施形態において、これらのカット部２５、第１、第２フラップ穴２６，２７及びベルト通路２８及び２８ａは、側縁部２４との関係において平行に延びている。
【００３３】
フラップ３は、一定の強度と共にかなり柔軟性をもつ材料で形成される。例えば、このフラップは皮又は厚い代用皮革で作られてよい。
図３に例示されている実施形態においては、フラップ３は予備成形されている。例えば、このフラップは、中央長軸Ａ（図４）を中心に湾曲させる。この場合凹面はカバン１の開口部８の方に向けられる。
【００３４】
このフラップ３は、縫着しないで取外し可能な形で本体２の壁７上に取付ける構成である。このフラップは、一体化用ベルト４及びストラップ５と特に共働する状態でカバン１の上に維持される。
一体化用ベルト４は、長手方向に延びる開放した断片の形をしている。その長さは、開口部８に隣接するカバン１の周囲の長さ以上である。
【００３５】
その幅の寸法は、ベルト通し２１，２１ａ及びベルト通路２８，２８ａの寸法に応じて決定される。
かくしてその幅の寸法は、ベルト４が一旦壁７及びフラップ３に取りつけられた時点で、ベルト通し２１，２１ａ及びベルト通路２８，２８ａから遇発的に外れることがないように、ベルト通し２１，２１ａ及びベルト通路２８，２８ａの寸法に略合致するものにする。
【００３６】
ベルト４の２つの端部４７は、ロックシステム６に連結される。
このベルト４は、一定の柔軟性を有し、例えば皮革又は代用皮革で作られてよい。
ストラップ５は、長手方向に延びた断片の形態をとり、その各端部２９に穴３０が形成されている。
【００３７】
このストラップは、フラップ３のカット部２５及びリム１５の切込み１６の中に取りつけられる。
ストラップ５は例えば皮革又は代用皮革で作られる。
好ましい一実施形態において、カバン１は２つのストラップ５，３１を有する。長い第１のストラップ５は、カバン１をショルダーバッグとして持つことができるようにし、短かい第２のストラップ３１はカバンを手提げバッグとして持つためのものである。
【００３８】
短かいストラップ３１は、２つの内面が相互に向き合った状態で、２枚の皮革片３２及び３３を重ね合せることよって作られる。
この場合、２つのストラップ５及び３１は、それぞれ、一対のカット部２５および切込み１６へ一緒に取りつけられる。
ストラップ５は、リム１５の中に挿入される剛性ロッド３４に連結されることによってカバン１に維持される。
【００３９】
この剛性ロッド３４は、リム１５の長軸Ｅに平行の長軸Ｄをもつ。
この剛性ロッドは、その端部３５の各々に、取外し可能な突出ヘッド３７の導入を可能にするための収納部３６を有する。
この突出ヘッド３７は、例えば平頭釘の形状をもつ。
かくして、剛性ロッド３４は、収納部３６内への突出ヘッド３７のネジ込みによって、カバン１に対し、取外し可能な形で、ただし外れない状態で取りつけられる。
【００４０】
ロックシステム６は、カバン１の本体の第１ならびに第２のスリット１８，１９及びフラップ３の第１ならびに第２フラップ穴２６，２７を連結する。
ロックシステム６は、例えば円筒形、平行六面体又はその他の類似した形態を有し、長手方向に延びる部品として形成される。
この部品は、一方では台板３８とジャーナル３９を含む。ジャーナル３９は、台板３８との関係において突出しており、その長軸Ｆは、台板３８に対しほぼ垂直である。
【００４１】
第１及び第２の貫通穴スリット４０，４１がジャーナル３９内に形成されている。第１の貫通穴４０は、台板３８に隣接する端部４２に配置されている。第２の貫通穴４１は、台板３８とは反対側の端部４３に配置されている。
これらの貫通穴４０，４１は、一体化用ベルト４と共働するようになっている。
【００４２】
ロックシステム６は、ジャーナル３９とは反対側で、台板３８が突出する突出部４４を含む。
図１３（Ｂ）では、突出部４４は、台板３８の中に差込まれる環４８を形成している。この環４８はロック手段４５と共働するためのものである。
このロック手段４５は、例えば、図２では、南京錠である。
【００４３】
縫着することなくカバン１へフラップ３を取り外し可能に組立てる方法について、次に説明する。
【００４４】
最初に、ロック装置６をフラップ３上に取りつける。
突出部４４に形成された環４８をフラップ３の第１フラップ穴２６へ導入する。
【００４５】
ジャーナル３９の第１及び第２スリット４０，４１は、このとき、それぞれフラップ３の、前長手縁部２３及び後長手縁部２２の外に向かって突出した状態にある。
その後、フラップ３のカット部２５がカバン１の本体２のリム１５内に設けられた切込み１６に向かい合うような形で、フラップ３をカバン１の本体２との関係において位置づけする。
【００４６】
次に、ストラップ５又はストラップ５，３１を、カバン１の本体２又はフラップ３に組立てる。
ストラップ５の端部２９を、まずフラップ３のカット部２５内へ、次にリム１５の切込み１６の中へ導入する。
このとき、剛性ロット３４を、リム１５の中へ挿入し、ストラップ５及びストラップ３１の穴３０へ通す。
【００４７】
ロッド３４は、リムの各端部３５へ突出ヘッド３７を導入することによってカバンの本体２に固定される。
ストラップ５又はストラップ５，３１は、かくして、カバン１に対し縫着することなく取外し可能な形で取りつけられ外れない状態となる。
カバンを閉じた時点で、ロックシステム６は本体２のスリット１８及び１９と共働することになる。
【００４８】
端部４２を、本体２の第１壁穴１８へ導入する。
端部４３を第２壁穴１９へ導入すると共に、このときジャーナル３９の貫通穴４０及び４１を外に向かって突出した状態にする。
ロックシステム６は、ロック手段４５により、フラップ３及び本体２上の所定の位置に維持される。
【００４９】
ロック手段４５は、カバン本体２の長手後壁９上にロックシステム６を不動化させるために、環４８の中へ導入できる、例えば南京錠である。
このようにして、フラップ３は、カバン１の開口部８を被覆し、ベルト４によりカバン１の本体２に一体化された状態でカバンを閉じる。
このベルト４は、カバンの本体２とフラップ３の両者へ取りつけられる。
【００５０】
このベルトは、カバンの本体２の周囲に配置される。
このベルトは、また、カバンの本体２のベルト通し２１，２１ａ及びフラップ３のベルト通路２８，２８ａの中に、摩擦を伴って取りつけられる。
このベルトは、同様に、ロックシステム６の第１及び第２貫通穴４０，４１を通過し、かくしてカバン１の閉鎖を係止できるようにする。
【００５１】
このとき、ベルト４の自由端部４７は、ロックシステム６の第２貫通穴４１内へ相互に重合して通される。
ベルト４の自由端部は、フラップ３を介して所定の位置に維持される。
かくして、フラップ３は、ストラップ５，３１及びロックシステム６と共に共働する一体化用ベルト４によってカバン１の壁７に取りつけられ、これと一体化された状態になる。
【００５２】
カバン１を開くには、フラップ３を、単にカバン１の長手後壁９に向かって揺動させる。このフラップは、ロック手段４５と共働するロックシステム６、ベルト４そしてストラップ５，３１によって、同時に、カバン１の後壁９上に維持される。
更に、一体化用ベルト４の利用により、所望の開口部８に応じてカバン１を閉じることが可能となる。
【００５３】
かくして、ベルト４を強く緊張させることにより、カバン１の壁７は折畳まれる。そのようにして、側壁１１の各々にひだ又はまちが作り出される。
かくして、ひだ４６が完全に平らになった時点で、最小限の開口部８ひいてはカバン１の本体２の閉鎖が得られる。
最大の開口部８は、ベルト４を大幅に緩めることによって得られ、このときひだ４６は完全に展開される。
【００５４】
このようなカバン１に対し、その利用目的に応じて異なる寸法を付与することが可能である。
かくして、このカバン１は、旅行用カバンとして又は特にハンドバッグとして利用することができる。
【図面の簡単な説明】
【図１】  閉じたカバンの前面の正面立面図である。
【図２】  閉じたカバンの背面の正面立面図である。
【図３】  閉じたカバンの側面立面図である。
【図４】  平らにした単一フラップの上面図である。
【図５】  図１のＶ−Ｖ線に沿った断面図である。
【図６】  図３のVI−VI線に沿った縦断面図である。
【図７】  カバンの本体上へフラップ及びストラップを取り外し可能に固定する方法を示す分解組立図である。
【図８】  図６のVIII−V1II線に沿った断面図である。
【図９】  カバン本体の前面立面図である。
【図１０】  カバン本体の背面立面図である。
【図１１】  カバン本体の側面立面図である。
【図１２】  剛性ロッド及びそれと共働するネジの分解組立図である。
【図１３】  （Ａ）はロックシステムの上面図、及び（Ｂ）はロックシステムの側面図を表す。
【図１４】  ストラップの異なる構成要素の上面図を表わす。
【符号の説明】
１…カバン
２…本体
３…フラップ
４…ベルト
５，３１…ストラップ
６…ロックシステム
７，９，１０，１１，１２…壁
８…開口部
１５…リム
１６…切込み
１８，１９…第１、第２壁穴
２１，２１ａ…ベルト通し
２５…カット部
２６，２７…第１、第２フラップ穴
２８，２８ａ…ベルト通路
３４…ロッド
３９…ジャーナル
４０，４１…第１、第２貫通穴
【図１】
0004819208.tif 000002
【図２】
0004819208.tif 000003
【図３】
0004819208.tif 000004
【図４】
0004819208.tif 000005
【図５】
0004819208.tif 000006
【図６】
0004819208.tif 000007
【図７】
0004819208.tif 000008
【図８】
0004819208.tif 000009
【図９】
0004819208.tif 000010
【図１０】
0004819208.tif 000011
【図１１】
0004819208.tif 000012
【図１２】
0004819208.tif 000013
【図１３】
0004819208.tif 000014
【図１４】
0004819208.tif 000015